(57)【要約】【課題】容易に取り付け可能であり、人体に帯電した静電気を放電するアース用具を提供する。【解決手段】アース用具４０は、導電性を有する板状部材か、同じ材料のチェーンでなり、帯状部１０と、帯状部１０に設けた導電性を有するチェーン２０と、でなる。帯状部１０は、足首に巻き付ける。チェーン２０は、帯状部１０より垂下し、一端が地面に接地する長さである。チェーン２０の垂れ下がり長さを調整可能な取付リング２１を有する。チェーン２０は、所望の位置で帯状部１０に取り付けられる。帯状部１０は、チェーン２０を取り付ける係止部を有する。【選択図】図１
2019071266.tif 000002
【特許請求の範囲】
【請求項１】
塑性変形可能な板状部材から構成され、導電性を有する帯状部と、この帯状部から垂下され、導電性を有する多数個のチェーンリングでなるチェーンと、で構成し、
前記チェーンは、前記帯状部に取付け、又は取外し可能とすること、
を特徴とするアース用具。
【請求項２】
前記帯状部は、足首に巻き付けられる形状に湾曲し、前記チェーンは、前記帯状部が足首に取り付けられたとき、前記チェーンリングがアース面に接触する長さを有する、
ことを特徴とする請求項１に記載のアース用具。
【請求項３】
前記チェーンは、前記多数個のチェーンリングから構成され、前記帯状部に取り付けられると共に、前記多数個のチェーンリングの内の、少なくとも、その一つが引っ掛けられ、前記チェーンの垂れ下がり長さを調整可能な、取付リング、環体、ナス環、又はその他の連結具でなる連結手段を有する、
ことを特徴とする請求項１または２に記載のアース用具。
【請求項４】
前記帯状部に形成した係止孔、係止突起、又は係止フック、前記帯状部の何れかでなる係止部と、前記チェーンとの間を、前記連結手段で連結可能とする、
ことを特徴とする請求項１から３の何れか１項に記載のアース用具。
【請求項５】
前記帯状部には、前記チェーン取付け用の取付孔、又は取付孔を備えた突部を有する、
ことを特徴とする請求項１から３の何れか１項に記載のアース用具。
【請求項６】
前記帯状部は、銅、アルミニウム、または真鍮のいずれか一つの通電性の素材で構成される、
ことを特徴とする請求項１から５の何れか１項に記載のアース用具。
【発明の詳細な説明】
【技術分野】
【０００１】
本発明は、アース用具に関する。
【背景技術】
【０００２】
電化製品を使用したり、自動車や電車等の乗り物に乗ったり、又は通常に歩行することにより、或いは衣服の擦れで、人体に静電気が帯電する。人体に帯電した静電気は、例えば、ドアノブに触れたときなどに放電されることで、人体の痛みとか、違和感を生ずることが、間々ある。また、人体に帯電した静電気により空気中の微粒子が人体に吸着されると、健康が害される虞があり、また、体内で常時行われている新陳代謝に悪影響を与える。現在の履物である靴やサンダル、スリッパなどは放電しない。このため、人体に帯電した静電気を除去するための用具が望まれている。
【０００３】
特許文献１は、人体に帯電した静電気を大地に放電させる磁石付接地用具を開示する。この磁石付接地用具は、クサリの一方に取り付けられた磁石を有する先端クリップと、クサリの他方に取り付けられた接地玉と、先端クリップと接地玉の中間に取り付けられた磁石を有する中間クリップと、を備える。
【先行技術文献】
【特許文献】
【０００４】
【特許文献１】特開平１１−５７０２７号公報
【発明の概要】
【発明が解決しようとする課題】
【０００５】
特許文献１が開示する磁石付接地用具は、クサリを足首に巻き付けて先端クリップを中間クリップに連結し、足首に取り付けられる。この磁石付設置用具では、先端クリップを中間クリップに連結する作業に手間が掛かる。
【０００６】
本発明は、このような実情に鑑みてなされたものであり、容易に取り付け可能であり、人体に帯電した静電気を放電するアース用具を提供することを目的とする。
【課題を解決するための手段】
【０００７】
上記目的を達成するため、本発明に係るアース用具は、
塑性変形可能な板状部材から構成され、導電性を有する帯状部と、この帯状部から垂下され、導電性を有する多数個のチェーンリングでなるチェーンと、で構成し、
前記チェーンは、前記帯状部に取付け、又は取外し可能とすること、
を特徴とする。
【０００８】
前記帯状部は、足首に巻き付けられる形状に湾曲し、前記チェーンは、前記帯状部が足首に取り付けられたとき、前記チェーンリングがアース面に接触する長さを有するとよい。
【０００９】
前記チェーンは、前記多数個のチェーンリングから構成され、前記帯状部に取り付けられると共に、前記多数個のチェーンリングの内の、少なくとも、その一つが引っ掛けられ、前記チェーンの垂れ下がり長さを調整可能な、取付リング、環体、ナス環、又はその他の連結具でなる連結手段を有するとよい。
【００１０】
前記帯状部に形成した係止孔、係止突起、又は係止フック、前記帯状部の何れかでなる係止部と、前記チェーンとの間を、前記連結手段で連結可能とするとよい。
【００１１】
前記帯状部には、前記チェーン取付け用の取付孔、又は取付孔を備えた突部を有するとよい。
【００１２】
前記帯状部は、銅、アルミニウム、または真鍮のいずれか一つの通電性の素材で構成されるとよい。
【発明の効果】
【００１３】
本発明によれば、帯状部を足首に巻き付けることで取り付けることができる。帯状部を足首に取り付けると、チェーンが、地面、又はアース板等のアース面に接触するため、人体に帯電した静電気を地面などに放電することができる。このため、容易に取り付け可能であり、人体に帯電した静電気を放電するアース用具を提供することができる。
【図面の簡単な説明】
【００１４】
【図１】本実施の形態に係るアース用具を示す図である。
【図２】（Ａ）〜（Ｃ）は、本実施の形態に係るアース用具に取り付けたチェーンの長さのバリエーションを説明する図である。
【図３】本実施の形態に係るアース用具を足首に取り付けた例を示す図である。
【図４】（Ａ）〜（Ｃ）は、変形例に係る帯状部を示す図である。
【図５】（Ａ）〜（Ｃ）は、係止部を示した、要部の模式図である。
【図６】（Ａ）は、環体の一例を示した模式図、（Ｂ）は、環体を利用して帯状部とチェーンとを連繋する一例の要部を示した模式図、（Ｃ）は、環体を、帯状部に取付けた状態の要部を示す模式図である。
【図７】環体を、チェーンの他端部に取付けた状態の一部省略の模式図である。
【図８】（Ａ）は、チェーンの垂れ下がり長さを短くした一例を示した模式図、（Ｂ）は、チェーンの垂れ下がり長さを調整する一例を示した模式図である。
【発明を実施するための形態】
【００１５】
以下、本発明を実施するための形態に係るアース用具を、図面を参照しながら詳細に説明する。
【００１６】
アース用具４０は、図１に示すように、帯状部１０と、帯状部１０に取り付けられたチェーン２０と、を備える。帯状部１０が足首に巻き付けられ、チェーン２０の一端部２２は接地された面（地面とか、アース冶具、又は導電物等でなるアース手段）に接触すると、人体（生物を含む）に帯電した静電気を地面などに放電することができる。
【００１７】
帯状部１０は、例えば、足首に巻き付けられる形状に湾曲し、導電性を有し、塑性変形可能な板状部材から構成される。帯状部１０は、例えば、銅、アルミニウム、または真鍮などの通電性の金属、又はこれらの金属被覆材から構成される。そして、帯状部１０の形状は、人の力で自由に変更でき、かつ形状を維持できる構造とする。帯状部１０は、チェーン２０を取り付ける取付孔１１とか、取付環、取付フック等を有する。そして、チェーン２０は、帯状部１０に、適宜の手段で取り付け、取り外し自在に設けられる。帯状部１０の端部１２、１３は、丸みを帯びた形状を有し、望ましくは、樹脂カバー１４、１５によりカバーされている。帯状部１０の長さは、足首、又は手首等の人体に巻き付けるに適した長さであり、１５〜３０ｃｍが好ましい。足首に巻き付けるものであれば、帯状部１０の長さは、例えば２５ｃｍが最適である。帯状部１０の幅は、０．５〜２ｃｍが好ましく、例えば、１ｃｍである。帯状部１０の厚みは、足首に巻き付けたときに形状を維持できる厚さであればよく、０．５〜２．０ｍｍが好ましい。帯状部１０は、形状記憶合金で形成することもよい。
【００１８】
チェーン２０は、多数個のチェーンリング２０００で構成されており、このチェーン２０は、帯状部１０から垂下され、地面などに接触する部分であり、導電性を有する部材から構成される。例えば、チェーン２０は、銅、アルミニウム、または真鍮などの金属から構成される。チェーン２０は、多数個のチェーンリング２０００から構成され、帯状部１０に取り付けられると共に、多数個のチェーンリング２０００のうち一つに引っ掛けられ、チェーンの垂れ下がり長さを調整可能な取付リング２１（連結手段）を有する。取付リング２１は、帯状部１０の取付孔１１に取り付けられている。取付リング２１の形状は、帯状部１０の取付孔１１に取り付けられ、チェーンリング２０００に引っ掛けられるものであれば特に限定されず、円形、楕円形、３角形などの多角形であってもよい。また、取付リング２１は、切れ目を有してもよい。取付リング２１に切れ目を有することで、チェーン２０を取り付ける位置を変更でき長さを調整できる。また、取付リング２１に切れ目を有さず、チェーン２０のチェーンリング２０００に切れ目を有してもよい。チェーン２０の長さは、帯状部１０を足首に取り付けたときに、チェーン２０の一端部２２が地面などに接触する長さであればよく、好ましくは１０〜３０ｃｍである。チェーン２０は、チェーン２０が取付リング２１に取り付けられた位置とチェーン２０の一端部２２との長さを調整できる。取付リング２１からチェーン２０の一端部２２までの長さを長くしたいときは、図２（Ａ）に示すように、チェーン２０の他端部２３近傍で取付リング２１に取り付けるとよい。取付リング２１からチェーン２０の一端部２２までの長さを短くしたいときは、図２（Ｂ）に示すように、チェーン２０の長さ方向の中心と他端部２３との中間で取付リング２１に取り付けるとよい。取付リング２１からチェーン２０の一端部２２までの長さをより短くしたいときは、図２（Ｃ）に示すように、チェーン２０の長さ方向の真ん中付近で取付リング２１に取り付けるとよい。チェーン２０が摩耗して、短くなった際には、取付リング２１への取り付け位置を変更し、地面への接地長さは、少なくとも、２〜３ｃｍが望ましい。尚、取付リング２１は、導電性の銅線材でなる。
【００１９】
アース用具４０は、図３に示すように、素足の足首、又は銅繊維など通電性の靴下を穿いた上からでも取り付けられる。アース用具４０が素足の足首に取り付けられると、チェーン２０の一端部２２が地面などに接触し、人体に帯電した静電気を放電することができる。尚、アース用具４０を、足首などに取付ける所作のみで、静電気を除去でき、便利であり、かつ大変重宝する。
【００２０】
上述したアース用具４０によれば、帯状部１０が、塑性変形可能な板状部材から構成されることで、容易に足首に巻き付けられる。また、帯状部１０およびチェーン２０が導電性を有することで、人体に帯電した静電気を地面などに放電することができる。また、チェーン２０を所望の位置で帯状部１０に取り付けることができ、チェーン２０が帯状部１０に取り付けられる位置とチェーン２０の一端部２２との長さを調整できる。これにより、チェーン２０の一端部２２が地面などに接触する長さを、自由に調整できる。従って、アース用具４０は、常に放電しているので、人体での帯電がなく、例えば、ドアノブに触れたときなどに静電気が放電され、痛みとか、違和感などを生じることを防ぐことができる。殊に放電時に慌てて、転倒、落下とか、又は家具などに体をぶつけることによる二次災害、及び／又は、障害などの解消に役立つものと考えられる。
【００２１】
また、人体に帯電した静電気により空気中の微粒子が人体に吸着し、健康が害されることを防ぐことができる。一例では、正しい新陳代謝が行われないことにより引き起こされる、例えば、アトピー、皮膚の障害とか、頭痛、又はかぶれ等の症状の改善に有効との知見がある。即ち、本発明のアース用具４０は、磁気が蓄積することにより生じる、各種の悪影響解消に役立つことが考えられる。尚、現状の履物、靴、草履とか、スリッパ、その他の履物では、放電できない。
【００２２】
（変形例１）
上述の実施の形態のアース用具４０では、帯状部１０に取付孔１１が設けられている例を説明したが、図４（Ａ）〜図４（Ｃ）に示すように、帯状部１０にチェーン２０を取り付ける突部３０を有し、突部３０に取付孔１１が設けられてもよい。突部３０の形状は、図４（Ａ）に示すように、場合により、四角形であってもよく、図４（Ｂ）に示すように、半円部を有する形状であってもよく、図４（Ｃ）に示すように、先端部がとがった形状を有してもよい。突部３０は、使用時に、図２（Ａ）に示すように、帯状部１０に対して略直角に曲げられてもよく、図２（Ｂ）に示すように、湾曲して曲げられてもよく、図２（Ｃ）に示すように、突部３０が帯状部１０に密着するように、折り曲げられてもよい。このように折り曲げ使用で、帯状部１０を足首に取り付けたときに、取付リング２１が足首に接触して違和感を与えることが少なくなる。
【００２３】
上述の実施の形態のアース用具４０では、帯状部１０の端部１２、１３が、樹脂カバー１４、１５によりカバーされている例について説明した。ただし、帯状部１０の端部１２、１３は、図４（Ｂ）に示すように、半円状の形状を有してもよく、図４（Ｃ）に示すように、角が丸められた形状を有してもよい。このようにすることで、樹脂カバー１４、１５によりカバーされていなくても、端部１２、１３の角が足首に当たって痛みを感じることを防ぐことができる。
【００２４】
また、とがった部分が物体にあると、非対称摩擦によって発生する電荷が増えるので、なるべく角のない形にすると静電気の発生を少なくすることができると考えられる。この考えを示したのが、図４（Ａ）〜図４（Ｃ）に示すように、帯状部１０の各角部１００及び／又は突部３０の各角部３００を、Ｒ面１０１、３０１（曲面とした）にした構造である。また、野外においては、雷からの被害を最小限とすることができる。さらにメラトニン、及び／又は、睡眠などの管理にも有効と考えられる。
【００２５】
図５（Ａ）〜（Ｃ）に示した係止部の各例は、好ましい例であり、（Ａ）は、取付孔１１を、（Ｂ）は、半截Ｕ形の係止片（取付片）１１ａを、（Ｃ）は、Ｕ形の係止フック（取付フック）１１ｂを、示している。係止部は、この例に限定されない。
【００２６】
（変形例２）
図６（Ａ）〜（Ｃ）は、本発明の帯状部１０とチェーン２０の連結手段であって、例えば、導電性の銅線材でなる環体５０である。図６の（Ａ）、（Ｃ）の如く、両端部に押潰しできる曲げ部５０ａ、５０ｂを有する。図６（Ｃ）の如く、曲げ部５０ａは、帯状部１０の取付孔１１に刺し通した際に、手、及び／又は、工具などで押潰し固定される。また、曲げ部５０ｂは、チェーンリング２０００に係止した際に、手、及び／又は、工具などで押潰し固定される。
【００２７】
（変形例３）
図７においては、この環体５０を、チェーン２０のみの構成のアース用具に利用する例を示しており、チェーンリング２０００に、環体５０の曲げ部５０ｂを押潰し固定した後であり、他の曲げ部５０ａは、押潰し前である。そして、図８（Ａ）では、チェーン２０の長さを定形とし、曲げ部５０ｂを、適宜のチェーンリング２０００に係止、及び／又は、固定し、環状部２０ａを形成する例である。この環状部２０ａは、前述の基本形の帯状部１０に相当する。
【００２８】
また、図８（ｂ）では、環体５０を、チェーン２０の固定（帯状部１０）、及び／又は、長さ調整（掛け止め）として利用もできる。即ち、この例は、帯状部１０の使用をしない例（チェーン２０のみの例）である。この例では、チェーンリング２０００の、１か所か、複数個所に、環体５０を係止、又は固止することで、長さ調整ができる（図８（ｂ）では２箇所である）。この例では、環体５０を、チェーンリング２０００に係止して、チェーン２０の環状部２０ａを形成し、この環状部２０ａを足首に捲装する。その他は、前述の図１〜図３に示したそれぞれの例などに準ずる。
【００２９】
以上、本発明の好ましい実施形態について説明したが、本発明は係る特定の実施形態に限定されるものではなく、本発明には、特許請求の範囲に記載された発明とその均等の範囲とが含まれる。
【符号の説明】
【００３０】
１０  帯状部
１００  角部
１０１  Ｒ面
１１  取付孔
１１ａ  係止片
１１ｂ  係止フック
１２、１３  端部
１４、１５  樹脂カバー
２０  チェーン
２０００  チェーンリング
２０ａ  環状部
２１  取付リング
２２  一端部
２３  他端部
３０  突部
３００  角部
３０１  Ｒ面
４０  アース用具
５０  環体
５０ａ  曲げ部
５０ｂ  曲げ部
５０ｃ  ストレート部
【図１】
2019071266.tif 000003
【図２】
2019071266.tif 000004
【図３】
2019071266.tif 000005
【図４】
2019071266.tif 000006
【図５】
2019071266.tif 000007
【図６】
2019071266.tif 000008
【図７】
2019071266.tif 000009
【図８】
2019071266.tif 000010